(57)【要約】【課題】容易に再利用品を分別することのできる直管形蛍光ランプ、直管形蛍光ランプの分別方法および分別システムを提供する。【解決手段】直管形蛍光ランプ１は、両端部２ａ，２ｂにそれぞれ封装された一対のフィラメント電極６，６と内表面に被着された蛍光体膜７とを備え、内部に少なくとも水銀および希ガスが封入された直管形バルブ２と、アルミニウムからなる有底の円筒体８およびこの円筒体８の底部８ａに配設された一対の接続ピン９，９を有し、少なくとも円筒体８の外周部８ｂがアルマイト処理されて着色された直管形バルブ２の両端部２ａ，２ｂにそれぞれ装着されている口金３，３とを具備している。【選択図】図１
2005108706.tif 000002
【特許請求の範囲】
【請求項１】
両端部にそれぞれ封装された一対のフィラメント電極と内表面に被着された蛍光体膜とを備え、内部に少なくとも水銀および希ガスが封入された直管形バルブと；
アルミニウムからなる有底の円筒体およびこの円筒体の底部に配設された一対の接続ピンを有し、少なくとも円筒体の外周部がアルマイト処理されて着色された直管形バルブの両端部にそれぞれ装着されている口金と；
を具備していることを特徴とする直管形蛍光ランプ。
【請求項２】
直管形蛍光ランプの口金を撮像して、画像データを生成する撮像工程と；
前記画像データから口金の円筒体に着色されている色を識別する識別工程と；
識別された口金の色に応じて、直管形蛍光ランプを分別する分別工程と；
を具備していることを特徴とする直管形蛍光ランプの分別方法。
【請求項３】
直管形蛍光ランプの口金を撮像して、画像データを生成する撮像装置と；
撮像装置が生成した画像データから口金の円筒体に着色されている色を識別する識別装置と；
識別された口金の色に応じて、直管形蛍光ランプを分別する分別装置と；
を具備していることを特徴とする直管形蛍光ランプの分別システム。
【発明の詳細な説明】
【技術分野】
【０００１】
本発明は、口金が着色されている直管形蛍光ランプ、直管形蛍光ランプの分別方法および分別システムに関する。
【背景技術】
【０００２】
近年、蛍光ランプは、バルブや蛍光体などが分離、回収され、これらの材料が再利用（リサイクル）されている。そして、蛍光ランプは、種類や品種が多く、再利用されるものと再利用されないものとを短時間に分別することが望まれている。
【０００３】
蛍光ランプを分別する方法として、例えば蛍光ランプに３００ｎｍの波長を有する紫外線を照射して蛍光体を発光させ、蛍光体からの発光スペクトルを分析することにより、再利用する蛍光ランプを分別しているものがある（例えば、特許文献１参照。）。また、バルブの外面に「リサイクル」の文字を表示して、再利用される蛍光ランプであることを容易に判断させるものがある（例えば、特許文献２参照。）。
【特許文献１】特表平１０−５００７３１号公報（第４−５頁、第１図）
【特許文献２】特開平３−１２１６４５号公報（第１２頁、第１２図）
【発明の開示】
【発明が解決しようとする課題】
【０００４】
特許文献１は、蛍光ランプに紫外線を照射して、蛍光体からの発光スペクトルを分析するので、分別に多くの工程が必要となり、分別に要する時間が長くなるという欠点を有する。また、特許文献２は、「リサイクル」の識別文字の有無を１本毎に目視的に認識する必要があり、作業が煩雑になるとともに、当該識別文字が摩擦などにより欠落するおそれがある。
【０００５】
本発明は、容易に再利用品を分別することのできる直管形蛍光ランプ、直管形蛍光ランプの分別方法および分別システムを提供することを目的とする。
【課題を解決するための手段】
【０００６】
請求項１に記載の直管形蛍光ランプの発明は、両端部にそれぞれ封装された一対のフィラメント電極と内表面に被着された蛍光体膜とを備え、内部に少なくとも水銀および希ガスが封入された直管形バルブと；アルミニウムからなる有底の円筒体およびこの円筒体の底部に配設された一対の接続ピンを有し、少なくとも円筒体の外周部がアルマイト処理されて着色された直管形バルブの両端部にそれぞれ装着されている口金と；を具備していることを特徴とする。
【０００７】
本発明および以下の各発明において、特に言及しない限り、各構成は以下による。
【０００８】
口金への着色は、判別できる程度に一部分であってもよい。
【０００９】
口金の円筒体をアルマイト処理することにより、口金の外表面に多孔質状のアルマイト層が形成され、このアルマイト層の多孔質形状を形成する微細な凹部の内部に着色材が入り込むようになるので、口金がアルミニウムの光沢を備えたまま所望の色に着色されるとともに色が落ちにくくなる。
【００１０】
本発明によれば、アルマイト処理されたアルマイト層の凹部内に着色材が付着して色落ちしにくくなるので、寿命期間にわたり加熱および光照射される環境で使用されても、口金の色の薄れや剥離などが防止され、口金の着色が維持される。
【００１１】
請求項２に記載の直管形蛍光ランプの分別方法の発明は、直管形蛍光ランプの口金を撮像して、画像データを生成する撮像工程と；前記画像データから口金の円筒体に着色されている色を識別する識別工程と；識別された口金の色に応じて、直管形蛍光ランプを分別する分別工程と；を具備していることを特徴とする。
【００１２】
直管形蛍光ランプは、口金がアルマイト処理されて着色されているものに限らず、口金が着色されていればよい。
【００１３】
直管形蛍光ランプは、実際上、３波長発光形蛍光体およびハロリン酸塩蛍光体のいずれかを主体としている。ここで、例えば３波長発光形蛍光体を有する蛍光ランプが再利用されているので、蛍光ランプを種別ごとに分別して回収することが必要となる。そして、蛍光ランプの種別に応じて、口金の色を決めておくと、蛍光ランプに紫外線を照射して蛍光ランプの種別を識別することや、バルブ外面の「リサイクル」の識別文字を目視して蛍光ランプの種別を識別する場合に比べて、容易に再利用の蛍光ランプを分別することができる。
【００１４】
本発明によれば、撮像工程で直管形蛍光ランプの口金が撮像され、識別工程で口金に着色されている色が識別され、分別工程で口金の色に応じて直管形蛍光ランプが分別されるので、直管形蛍光ランプの分別が容易であり、短時間で行える。
【００１５】
請求項３に記載の直管形蛍光ランプの分別システムの発明は、直管形蛍光ランプの口金を撮像して、画像データを生成する撮像装置と；撮像装置が生成した画像データから口金の円筒体に着色されている色を識別する識別装置と；識別された口金の色に応じて、直管形蛍光ランプを分別する分別装置と；を具備していることを特徴とする。
【００１６】
本発明によれば、撮像装置で直管形蛍光ランプの口金が撮像され、識別装置で口金に着色されている色が識別され、分別装置で口金の色に応じて直管形蛍光ランプが分別されるので、直管形蛍光ランプの分別が短時間で行える直管形蛍光ランプの分別システムが提供される。
【発明の効果】
【００１７】
請求項１の発明によれば、円筒体がアルマイト処理されて着色されているので、口金に着色された色を落ちにくくすることができる。
【００１８】
請求項２の発明によれば、撮像工程で直管形蛍光ランプの口金を撮像して生成される画像データから口金に着色されている色を識別することができ、分別工程で口金の色に応じて再利用可能な直管形蛍光ランプを容易に分別することができる。
【００１９】
請求項３の発明によれば、撮像装置で直管形蛍光ランプの口金を撮像して生成される画像データから口金に着色されている色を識別することができ、分別装置で口金の色に応じて再利用可能な直管形蛍光ランプを容易に分別することができる分別システムを提供することができる。
【発明を実施するための最良の形態】
【００２０】
以下、本発明の一実施の形態について、図面を参照して説明する。まず、本発明の第１の実施形態について説明する。
【００２１】
図１は、本発明の第１の実施形態を示す直管形蛍光ランプであり、（ａ）は一部切り欠き正面図、（ｂ）は側面図である。直管形蛍光ランプ１は、直管形バルブ２、口金３および着色材を有して構成されている。
【００２２】
直管形バルブ２は、可視光を透過する軟質ガラスからなり、両端部２ａ，２ｂにそれぞれ一対のフィラメント電極６，６を封装し、内表面に蛍光体膜７を被着ている。また、直管形バルブ２の内部に少なくとも水銀およびアルゴンなどの希ガスが封入されている。この直管形バルブ２は、軟質ガラスおよび蛍光体膜７などをリサイクルの材料とすることができる。
【００２３】
口金３，３は、それぞれ有底の円筒体８および一対の接続ピン９，９を有して構成されている。円筒体８は、例えばアルミニウムからなり、直管形バルブ２のそれぞれの端部２ａ，２ｂに装着される。一対の接続ピン９，９は、例えば黄銅からなり、円筒体８の底部８ａに配設され、フィラメント電極６の両端に電気的に接続されている。
【００２４】
円筒体８の外周部８ｂは、予めアルマイト処理され、着色材が塗布された後に焼き付けられて着色されている。すなわち、口金３，３に色が形成されている。なお、着色材によって着色されている領域は、図中、斜線部分で示す。着色材は、所望の色に着色可能であれば、その材質などは問わない。
【００２５】
円筒体８の外周部８ｂに着色された色は、光源色の種類に応じて、例えば表１に示すように、異なっている。表中、記号Ｗ、Ｎ、Ｄは、それぞれ白色、昼白色、昼光色を示し、記号ＥＸ−Ｄ、ＥＸ−Ｎ、ＥＸ−Ｌは、それぞれ３波長昼光色、３波長昼白色、３波長電球色を示す。これらの光源色の記号は、直管形バルブ２の端部２ａの外面に刻印されている型名（図示しない。）の一部となっている。
【表１】
2005108706.tif 000003
【００２６】
光源色Ｗ、Ｎ、Ｄを有する直管形蛍光ランプ１の蛍光体膜７は、Ｃａ−ハロ蛍光体、例えばＣａ１０（ＰＯ４）６ＦＣｌ：Ｓｂ，Ｍｎからなっている。そして、Ｓｂ、Ｍｎ、Ｆ、Ｃｌの比率を異ならせて、それぞれの光源色Ｗ、Ｎ、Ｄにされている。
【００２７】
また、電球色ＥＸ−Ｄ、ＥＸ−Ｎ、ＥＸ−Ｌを有する直管形蛍光ランプ１の蛍光体膜７は、紫外線により、主として青色光を発光する青色蛍光体、主として緑色光を発光する緑色発光体および主として赤色光を発光する赤色発光体の３波長蛍光体からなっている。そして、青色蛍光体、赤色蛍光体および緑色蛍光体の混合比率を異ならせることにより、それぞれの光源色ＥＸ−Ｄ、ＥＸ−Ｎ、ＥＸ−Ｌにされている。青色蛍光体は、例えば（Ｓｒ，Ｃａ，Ｂａ）５（ＰＯ４）３Ｃｌ：Ｅｕ、ＢａＭｇ２Ａｌ１６Ｏ２７：ＥｕまたはＢａＭｇ２Ａｌ１６Ｏ２７：Ｅｕ，Ｍｎであり、赤色蛍光体は、例えばＹ２Ｏ３：Ｅｕであり、緑色蛍光体は、例えばＬａＰＯ４：Ｔｂ，ＣｅまたはＣｅＭｇＡｌ１１Ｏ１９：Ｔｂである。
【００２８】
口金３の円筒体８の外周部８ｂは、アルマイト処理されているので、その外表面に多孔質状のアルマイト層が形成されており、このアルマイト層の中には、極小さい凹凸が形成されている。この凹凸に着色される色に応じた着色材が凹部内に入り込んで付着する。そして、特に凹部内に入り込んで付着した着色材は、円筒体８の外周部８ｂから落ちにくくなっている。この結果、口金３に着色された色の色落ちや剥離などが防止され、直管形蛍光ランプ１が寿命となっても、口金３に着色された色が維持される。
【００２９】
そして、直管形蛍光ランプ１は、型名や「リサイクル」の識別文字を見なくても、口金３の色を目視することにより、光源色や蛍光体膜７の種類が特定される。また、口金３に着色された色は、色落ちしにくいので、寿命となって使用できなくなった後も口金３の色を目視すること等によって識別することが可能である。なお、再利用（リサイクル）品は、緑色の口金３に統一することで、環境調和形商品として容易に識別することもできる。
【００３０】
次に、本発明の第２の実施形態について説明する。
【００３１】
図２は、本発明の第２の実施形態を示す直管形蛍光ランプの分別システムの概略構成ブロック図である。なお、図１と同一部分には同一符号を付して説明は省略する。
【００３２】
図２に示す直管形蛍光ランプ１の分別システム１０は、撮像装置１１、識別装置１２および分別装置１３を有して構成されている。
【００３３】
撮像装置１１は、例えば寿命となって使用できなくなった直管形蛍光ランプ１の口金３を撮像して、画像データを生成し、映像信号で画像処理装置１４に送出するように構成されている。画像処理装置１４は、識別装置１２の主体部を構成するものであり、当該映像信号から口金３の円筒体８に着色されている色を識別して、分別装置１３に識別データを送出するように構成されている。このように、撮像装置１１は、直管形蛍光ランプ１の口金３を撮像して、画像データを生成する撮像工程を行う。識別装置１２は、画像データから口金３の円筒体８に着色されている色を識別する識別工程を行う。
【００３４】
そして、分別装置１３は、識別装置１２で識別された口金３の色に応じて、直管形蛍光ランプ１を分別する工程を行うように構成されている。例えば、口金３の色が銀色（着色無し）の直管形蛍光ランプ１と、口金３の色が青色、紫色および赤色の直管形蛍光ランプ１とに分別する。前者の直管形蛍光ランプ１の蛍光体膜７は、表１において説明したように、Ｃａ−ハロ蛍光体からなっていて、新品材料でも比較的安価に入手できる蛍光体であるため、回収する費用の方が蛍光体の市場価格よりも高くなってしまう。したがって、Ｃａ−ハロ蛍光体を蛍光体膜７の主成分とする直管形蛍光ランプ１は、蛍光ランプ以外のリサイクル品、例えばセメント原料等にする。また、後者の直管形蛍光ランプ１は、３波長蛍光体からなっていて、市場価格が比較的高いので、回収費用をかけてでも回収するメリットがあるため、再利用するようにする。なお、口金３が緑色に統一された再利用の直管形蛍光ランプ１は、再利用しない。
【００３５】
そして、分別装置１３（分別工程）において、再利用するように分別された直管形蛍光ランプ１は、直管形バルブ２の両端部２ａ，２ｂがそれぞれ切断され、口金３，３が除去される（切断工程）。その後、切断された直管形バルブ２から蛍光体膜７とガラスバルブ（軟質ガラス）の分離が行われる（分離工程）。
【００３６】
そして、３波長蛍光体の再生処理が行われ（蛍光体膜７の再生工程）、ガラスバルブからガラスの再生、回収処理が行われる（ガラスの再生および回収工程）。そして、再生、回収された３波長蛍光体およびガラスは、再利用される。
【図面の簡単な説明】
【００３７】
【図１】本発明の第１の実施形態を示す直管形蛍光ランプであり、（ａ）は一部切り欠き正面図、（ｂ）は側面図。
【図２】本発明の第２の実施形態を示す直管形蛍光ランプの分別システムの概略構成ブロック図。
【符号の説明】
【００３８】
１…直管形蛍光ランプ
２…直管形バルブ
３…口金
１０…分別システム
１１…撮像装置（撮像工程）
１２…識別装置（識別工程）
１３…分別装置（分別工程）
【図１】
2005108706.tif 000004
【図２】
2005108706.tif 000005